(57)【要約】  撮像装置１０２は、外部バッテリー２０２を収容する拡張装置１０３を着脱可能であり、内部バッテリー２０１を収容する本体部１０２ａと、充電ＩＣ２３１と、操作部１６０と、充電マイコン２３２とを備える。充電ＩＣ２３１は、外部から入力した電力により内部バッテリー２０１又は外部バッテリー２０２を充電する。操作部１６０は、内部バッテリー２０１及び外部バッテリー２０２の使用順序を設定する入力を受け付ける。充電マイコン２３２は、優先順位に応じて内部バッテリー２０１又は外部バッテリー２０２の充電を実行するように充電ＩＣ２３１を制御する。
2020121603.tif 000002
【特許請求の範囲】
【請求項１】
外部バッテリーを収容する拡張装置を着脱可能な撮像装置であって、
内部バッテリーを収容する本体部と、
外部から入力した電力により前記内部バッテリー又は前記外部バッテリーを充電する充電部と、
前記内部バッテリー及び前記外部バッテリーを充電する優先順位を設定する入力を受け付ける操作部と、
前記優先順位に応じて前記内部バッテリー又は前記外部バッテリーの充電を実行するように前記充電部を制御する制御部と、
を備える撮像装置。
【請求項２】
前記優先順位を設定する入力を受け付けるための操作インタフェースを表示する表示部を備える、
請求項１に記載の撮像装置。
【請求項３】
前記表示部は、
前記内部バッテリー及び前記外部バッテリーのバッテリー残量を示す第１画面と、前記優先順位の設定の入力を受け付けるための第２画面とを切り替えて表示するか、又は前記第１画面と前記第２画面とを同時に表示する、
請求項２に記載の撮像装置。
【請求項４】
前記制御部は、
前記優先順位に基づいて充電中の前記内部バッテリー及び前記外部バッテリーの一方のバッテリー残量を監視し、
前記内部バッテリー及び前記外部バッテリーの一方が、満充電又は満充電未満の所定のバッテリー残量になったことを検知したとき、前記内部バッテリー及び前記外部バッテリーの一方の充電から他方の充電に切り替えるように前記充電部を制御する、
請求項１から３のいずれかに記載の撮像装置。
【発明の詳細な説明】
【技術分野】
【０００１】
本開示は、撮像装置、特に外部バッテリーを収容する拡張装置を接続可能な撮像装置に関する。
【背景技術】
【０００２】
デジタルカメラ等の撮像装置は、本体内に取り外し可能に装着される内部バッテリーに加え、本体の外部に取り外し可能に装着される拡張装置（例えば、バッテリーグリップ）内に装着される外部バッテリーによって給電可能である。内部バッテリー及び外部バッテリーを充電する場合、バッテリー残量に応じて内部バッテリー又は外部バッテリーのいずれかに切り替えて充電する方法が知られている（特許文献１及び特許文献２参照）。
【発明の概要】
【発明が解決しようとする課題】
【０００３】
同じ撮像装置であっても、ユーザーによる撮像装置システムの使用状況に応じて、外部バッテリー又は内部バッテリーの消費は異なるため、いずれかを優先的に充電させておきたいとするニーズがある。【０００４】
本開示は、ユーザーの使用状況に応じてバッテリーの充電を行うことが可能な撮像装置を提供する。
【課題を解決するための手段】
【０００５】
本開示の撮像装置は、外部バッテリーを収容する拡張装置を着脱可能な撮像装置であって、本体部と、充電部と、操作部と、制御部とを備える。本体部は、内部バッテリーを収容する。充電部は、外部から入力した電力により前記内部バッテリー又は前記外部バッテリーを充電する。操作部は、内部バッテリー及び外部バッテリーを充電する優先順位を設定する入力を受け付ける。制御部は、優先順位に応じて内部バッテリー又は外部バッテリーの充電を実行するように充電部を制御する。
【発明の効果】
【０００６】
本開示の撮像装置によれば、ユーザーによる撮像装置システムの使用状況に応じてバッテリーの充電を行うことが可能である。
【図面の簡単な説明】
【０００７】
【図１】実施の形態１に係るデジタルカメラの構成図である。
【図２】同デジタルカメラの充電制御を実行するための回路ブロック図である。
【図３】同デジタルカメラのバッテリーの選択を実行するための回路ブロック図である。
【図４】充電の優先順位を設定するための動作を示すフローチャートである。
【図５】バッテリー使用順序を設定するためのメニュー画面を示す。
【図６】バッテリー使用順序を設定するためのメニュー画面を示す。
【図７】バッテリー使用順序を設定するためのメニュー画面を示す。
【図８】実施の形態１に係る充電動作を示すフローチャートである。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面および以下の説明を提供するのであって、これらによって特許請求の範囲に記載の主題を限定することを意図するものではない。
【００１０】
［１．実施の形態１］
本実施の形態は、デジタルカメラ１０２（撮像装置の一例）を含むカメラシステム１００における制御について説明する。デジタルカメラ１０２は、長時間にわたって動作させるために、内部バッテリーを装着した本体部１０２ａに対して、予備バッテリーである外部バッテリーを装着したバッテリーグリップ（ＢＧ；拡張装置の一例）を取り付けて使用される。
【００１１】
［１−１．構成］
［１−１−１．全体構成］
図１は、本実施の形態に係るカメラシステム１００の全体構成を示す。カメラシステム１００は、デジタルカメラ１０２と、デジタルカメラ１０２に着脱可能に取り付けられる交換レンズ１０１と、デジタルカメラ１０２に着脱可能に取り付けられるバッテリーグリップ１０３とを含む。
【００１２】
［１−１−２．交換レンズ１０１の構成］
交換レンズ１０１はデジタルカメラ１０２に着脱可能に取り付けられる。取り付ける場合、交換レンズ１０１のレンズマウント１３０は、デジタルカメラ１０２の本体マウント１４０に対し、互いに機械的且つ電気的に接続される。
【００１３】
交換レンズ１０１は、光を入射し、デジタルカメラ１０２のイメージセンサー１５０上に被写体像を形成させる。交換レンズ１０１は、フォーカスレンズ１１０、フォーカスレンズ駆動部１１１、ズームレンズ１１２、ズームレンズ駆動部１１３、レンズコントローラー１２０、ＤＲＡＭ１２１、フラッシュメモリ１２２、及びレンズマウント１３０を備える。
【００１４】
フォーカスレンズ１１０は、被写体像のフォーカス状態を変化させるための任意枚数のレンズ又は任意個数のレンズ群を含む。フォーカスレンズ駆動部１１１は、レンズコントローラー１２０からの指令に応じてフォーカスレンズ１１０を光軸に沿って進退させる。
【００１５】
ズームレンズ１１２は、被写体像の倍率を変化させるための任意枚数のレンズ又は任意個数のレンズ群を含む。ズームレンズ駆動部１１３は、レンズコントローラー１２０からの指令に応じて、ズームレンズ１１２を光軸に沿って移動させる。
【００１６】
レンズコントローラー１２０は、交換レンズ１０１全体の動作を制御するＣＰＵ等のプロセッサである。ＤＲＡＭ１２１は、レンズコントローラー１２０によってワークメモリとして使用される。フラッシュメモリ１２２は、レンズコントローラー１２０によって使用されるプログラム、パラメータ、及びレンズデータを保存する。ここで、レンズデータは、レンズ名称、レンズＩＤ、シリアル番号、Ｆナンバー、焦点距離等、交換レンズ１０１に固有の特性値を含む。レンズコントローラー１２０は、レンズデータをデジタルカメラ１０２に通知し、デジタルカメラ１０２はレンズデータに従って各種制御を行う。レンズコントローラー１２０は、ユーザーによる各レンズの操作に応じて、フォーカスレンズ駆動部１１１やズームレンズ駆動部１１３に指令を送信して、各レンズを駆動させる。
【００１７】
［１−１−３．デジタルカメラ１０２の構成］
図１に示すように、デジタルカメラ１０２は、本体部１０２ａに設けられた操作部１６０とバッテリーグリップ（ＢＧ）接続部２５０とを備える。
【００１８】
操作部１６０は、デジタルカメラ１０２を操作するための操作部であり、レリーズボタン、他のボタン、十字キー、ダイヤル、後述する液晶モニター１６３に配されるタッチパネル等を含む。ＢＧ接続部２５０は、バッテリーグリップ１０３を本体部１０２ａに物理的に固定させるための機構、例えば、ネジとネジ孔とを含む。
【００１９】
デジタルカメラ１０２はさらに、本体マウント１４０、イメージセンサー１５０、カメラコントローラー１５３、ＤＲＡＭ１５５、フラッシュメモリ１５６、ステータスＬＣＤ１６１、ビューファインダー１６２、液晶モニター１６３、ＳＤカード１６４、カードスロット１６５、ＨＤＭＩ（登録商標）インタフェース１６６、及び画像処理回路１７２を備える。
【００２０】
本体マウント１４０は、レンズマウント１３０を介して、本体部１０２ａと交換レンズ１０１との間でデータを送受信する。本体マウント１４０は、カメラコントローラー１５３から受信する信号を、レンズマウント１３０を介してレンズコントローラー１２０に送信する。また、本体マウント１４０は、レンズコントローラー１２０から受信した信号を、レンズマウント１３０を介してカメラコントローラー１５３に送信する。
【００２１】
カメラコントローラー１５３は、ＣＰＵ等のプロセッサを含む。カメラコントローラー１５３は、操作部１６０からの指示に応じて、画像処理動作及び他の制御動作を含む、カメラシステム１００全体の動作を制御する。なお、カメラコントローラー１５３は、ハードワイヤードな電子回路で構成してもよく、プログラムを実行するマイクロコンピューターなどで構成してもよい。また、カメラコントローラー１５３は、画像処理回路１７２及びＤＲＡＭ１５５と同一又は別個の集積回路として構成されてもよい。
【００２２】
ＤＲＡＭ１５５は、カメラコントローラー１５３によってワークメモリとして使用される。フラッシュメモリ１５６は、画像データを保存し、また、カメラコントローラー１５３によって使用されるプログラム及びパラメータを保存する。
【００２３】
イメージセンサー１５０は、ＣＭＯＳイメージセンサーであり、受光素子、自動利得制御回路、及びアナログ／デジタル変換器を備える。受光素子は、交換レンズ１０１によって集光された光信号を電気信号に変換して出力する。自動利得制御回路は、受光素子から出力された電気信号を増幅して出力する。アナログ／デジタル変換器は、自動利得制御回路から出力された電気信号をデジタル信号に変換して出力する。イメージセンサー１５０は、カメラコントローラー１５３の制御の下、所定のタイミング信号に同期して動作し、静止画および動画の撮像動作、スルー画像の撮像動作、データ転送動作、電子シャッタ動作等を実行する。イメージセンサー１５０が生成した画像データは、画像処理回路１７２に送られる。
【００２４】
なお、イメージセンサー１５０は、ＣＭＯＳイメージセンサーに代えて、ＮＭＯＳイメージセンサー又はＣＣＤイメージセンサー等の他の撮像素子であってもよい。
【００２５】
液晶モニター１６３は、デジタルカメラ１０２の背面に配置される液晶ディスプレイ（Liquid Crystal Display（ＬＣＤ））である。液晶モニター１６３は、画像処理回路１７２で処理された画像データ（静止画又は動画）を表示する。液晶モニター１６３は、カメラシステム１００の動作条件を設定するための設定メニューを表示する。特に、液晶モニター１６３は、後述するように、ユーザーが使用するバッテリー（内部バッテリー２０１又は外部バッテリー２０２）の使用順序を設定するためのメニュー画面を表示する。液晶モニター１６３は、操作部１６０の一部として機能するタッチパネルを備える。
【００２６】
なお、液晶モニター１６３に代えて、有機ＥＬ(Electroluminescence)ディスプレイなどの他の表示装置を用いてもよい。
【００２７】
ビューファインダー１６２は、電子ビューファインダーであり、液晶ディスプレイ、有機ＥＬディスプレイ等の画面が配置される。画面には、イメージセンサー１５０から取り出された画像データが供給され、リアルタイム画像（スルー画）として表示される。なお、ビューファインダー１６２は、光学ビューファインダーであってもよい。
【００２８】
ステータスＬＣＤ１６１は、液晶モニター１６３とは別に、本体部１０２ａ（例えば上面）に配置される、有機ＥＬディスプレイである。ステータスＬＣＤ１６１は、液晶ディスプレイを用いても良い。ステータスＬＣＤ１６１は、カメラコントローラー１５３からの指令に応じた情報を表示する。ステータスＬＣＤ１６１に表示される情報は、例えば、後述する内部バッテリー２０１や外部バッテリー２０２のバッテリー残量を示す情報である。
【００２９】
カードスロット１６５は、着脱可能な外部記憶媒体であるＳＤカード１６４を本体部１０２ａに電気的かつ機械的に接続する。ＳＤカード１６４は、カードスロット１６５に着脱可能な形態を有し、フラッシュメモリ等の記憶素子を内部に備える。カメラコントローラー１５３は、撮影された画像データをＳＤカード１６４に記憶する。長時間にわたって動画を撮影するために、デジタルカメラ１０２は複数のカードスロットを備えてもよい。
【００３０】
カメラコントローラー１５３は、ＳＤカード１６４に記憶された画像データを読み出し、読み出された画像データを画像処理回路１７２とともに処理し、液晶モニター１６３に表示する。
【００３１】
ＨＤＭＩ（登録商標）インタフェース１６６は、撮影された画像データを外部の記憶装置、例えばハードディスクレコーダに出力する。
【００３２】
画像処理回路１７２は、イメージセンサー１５０から出力された画像データに、所定の画像処理を行う。所定の画像処理は、ガンマ補正処理、ホワイトバランス補正処理、キズ補正処理、ＹＣ変換処理、ディジタルズーム処理、圧縮処理、伸張処理等を含む。
【００３３】
デジタルカメラ１０２は更に、ＵＳＢ端子２１１、ＵＳＢ制御回路２１０、充電制御回路２３０、電源切換回路３００（３００ａ）、内部バッテリー２０１、及びＤＣ／ＤＣコンバーター１５４を備える。主に、これらの部分において、後述する、本実施の形態に係る充電制御及び電源切替えが実行される。
【００３４】
ＵＳＢ端子２１１は、Ｔｙｐｅ  Ｃの端子であり、ＵＳＢケーブル（図示省略）を介して外部の接続機器（図示省略）とデジタルカメラ１０２とを接続するための接続端子である。ＵＳＢ端子２１１は、電源用のＶＢＵＳ端子やＧＮＤ端子、後述するＣＣ（Configuration Channel）端子２１１ｂ（図２）、Ｄ＋、Ｄ−信号用の端子を含む。接続機器は、ＰＣ等の機器であり、ＵＳＢ  ＰＤ対応機器である場合、同様の端子を有する。接続機器は、ＣＣをプルアップしておき、ＣＣ端子の電圧を監視する。接続機器は、デジタルカメラ１０２側のＣＣのプルダウンを検出すると、ＶＢＵＳ２１１ａ（図２）に電圧を供給する。これにより、デジタルカメラ１０２側に電力が供給される。
【００３５】
ＵＳＢ制御回路２１０は、図２に示すＰＤコントローラー２１２を含み、後述するように、ＵＳＢ端子２１１のＣＣ端子２１１ｂ経由で接続機器とのネゴシエーションを行う。
【００３６】
充電制御回路２３０は、図２に示す充電ＩＣ(Integrated Circuit)２３１（充電部の一例）及び充電マイコン(Microcomputer)２３２（制御部の一例）を含み、内部バッテリー２０１及び外部バッテリー２０２に対する充電制御を行う。充電ＩＣ２３１は、ＵＳＢ  ＰＤ対応機器である接続機器から、ＵＳＢ端子２１１のＶＢＵＳ２１１ａを介して得た電圧を、ＤＣ／ＤＣコンバーター１５４を介して本体部１０２ａ各部や交換レンズ１０１各部を含むカメラシステム１００の負荷に供給する。充電マイコン２３２は、ＰＤコントローラー２１２や充電ＩＣ２３１との通信を行う。
【００３７】
電源切換回路３００ａは、バッテリーグリップ１０３がデジタルカメラ１０２に装着されたとき、後述するバッテリーグリップ１０３の電源切換回路３００ｂとともに、デジタルカメラ１０２の電源切換回路３００を構成する。電源切換回路３００は、充電制御回路２３０の制御により、デジタルカメラ１０２の使用電源としてデジタルカメラ１０２の内部バッテリー２０１又は外部バッテリー２０２に切り換える。なお、この切換えは、後述するユーザーによるバッテリー使用順序の設定に応じて実行される。
【００３８】
ＤＣ／ＤＣコンバーター１５４は、後述する電源切換回路３００からの電力（すなわち、内部バッテリー２０１又は外部バッテリー２０２からの電力）を、その電力の供給を受けて動作するデジタルカメラ１０２及び交換レンズ１０１の各部へ供給する。デジタルカメラ１０２の負荷回路は、デジタルカメラ１０２のイメージセンサー１５０、カメラコントローラー１５３、ＤＲＡＭ１５５、フラッシュメモリ１５６、液晶モニター１６３、カードスロット１６５、ＨＤＭＩ（登録商標）インタフェース１６６、画像処理回路１７２、及び交換レンズ１０１等の各構成要素を含む。また、ＤＣ／ＤＣコンバーター１５４は、電力を各部へ供給するために、バッテリー２０１，２０２から供給される電圧を各部の負荷回路に適した電圧に変換する。
【００３９】
内部バッテリー２０１は、例えばリチウムイオン電池であり、本体部１０２ａ内に収容され、デジタルカメラ１０２及び交換レンズ１０１を動作させるための電力を供給する。内部バッテリーは、他の種類の二次電池であってもよい。また、内部バッテリー２０１は、デジタルカメラ１０２に着脱可能に取り付けられていてもよいし、取り外しでじきないタイプのものであってもよい。内部バッテリー２０１には、バッテリー監視ＩＣ等の電力量計測手段を含み、バッテリー残量を計測し、充電マイコン２３２に通知する。
【００４０】
デジタルカメラ１０２の電源は、本体部１０２ａに設けられた電源スイッチ（図示省略）によりＯＮ／ＯＦＦされる。電源がＯＮされると、カメラコントローラー１５３は、上述したように、デジタルカメラ１０２の本体部１０２ａの各部に電力を供給する。また、カメラコントローラー１５３は、本体マウント１４０およびレンズマウント１３０を介して交換レンズ１０１にも電力を供給する。
【００４１】
［１−１−４．バッテリーグリップ１０３の構成］
バッテリーグリップ１０３は、操作部１７０、外部バッテリー２０２、及び電源切換回路３００ｂ、を備える。
【００４２】
操作部１７０は、レリーズボタン、他のボタン、十字キー、及びダイヤル等を含む。
【００４３】
外部バッテリー２０２は、バッテリーグリップ１０３内に収容され、内部バッテリー２０１と同様に、デジタルカメラ１０２を動作させるための電力を供給する。外部バッテリー２０２は、一次バッテリーであっても、二次バッテリーであってもよい。また、外部バッテリー２０２は、内部バッテリー２０１と同じタイプであってもよく、異なるタイプであってもよい。
【００４４】
電源切換回路３００ｂは、バッテリーグリップ１０３がデジタルカメラ１０２に装着されたとき、既述したデジタルカメラ１０２の電源切換回路３００ａとともに、デジタルカメラ１０２の電源切換回路３００を構成する。
【００４５】
本実施の形態では、バッテリーグリップ１０３をデジタルカメラ１０２に装着したとき、本体部１０２ａ内の電源切換回路３００ａ及びバッテリーグリップ１０３の電源切換回路３００ｂがともに電源切換回路３００を構成する。しかし、電源切換回路３００を分割せず、デジタルカメラ１０２及びバッテリーグリップ１０３の一方のみに設けてもよい。
【００４６】
［１−２．動作］
［１−２−１．充電制御回路］
図２を参照して、本実施の形態におけるデジタルカメラ１０２の充電制御を実行するための回路の動作について説明する。図２に示す回路は、上述したＵＳＢ端子２１１、ＰＤコントローラー２１２、充電ＩＣ２３１、充電マイコン２３２、電源切換回路３００、スイッチ３０２、内部バッテリー２０１、及び外部バッテリー２０２を含む。
【００４７】
ＵＳＢ端子２１１にＵＳＢ  ＰＤ対応機器である接続機器が接続されると、ＰＤコントローラー２１２は、ＣＣ端子２１１ｂ経由で接続機器とのネゴシエーションを行う。ネゴシエーションにおいては、ＣＣ端子２１１ｂを介して、デジタルカメラ１０２と接続機器間における電力供給の方向、電流／電圧の設定、各端子の役割等、各条件を決定する。充電マイコン２３２は、ＰＤコントローラー２１２との通信を実行し、その結果を取得し、接続機器がＵＳＢ  ＰＤ対応機器であるか否かを判定するとともに、条件（例えば、電圧の設定として９Ｖや５Ｖ）を確定させる。充電マイコン２３２はまた、充電ＩＣ２３１との通信に応じて、内部バッテリー２０１や外部バッテリー２０２の充電条件を決定する。
【００４８】
ＵＳＢ端子２１１にＵＳＢ  ＰＤ対応機器である接続機器が接続されると、接続機器からの電力供給が充電ＩＣ２３１を介して実行される。充電マイコン２３２は、カメラコントローラー１５３からの設定情報（内部バッテリー２０１か外部バッテリー２０２か充電優先順位の情報や、電源がＯＮかＯＦＦかの情報や、カメラ本体部１０２ａの温度情報等）を取得し、これらの情報に応じて充電ＩＣ２３１に対するカメラシステム１００の負荷回路への給電の許可制御や充電ＩＣ２３１を介してのスイッチ３０２のＯＮ・ＯＦＦ動作の制御を行う。また充電マイコン２３２は当該充電ＩＣ２３１によるスイッチ３０２のＯＮ動作制御と電源切換回路３００の切り替えによって内部バッテリー２０１及び外部バッテリー２０２に対する充電を実行する。充電ＩＣ２３１は、スイッチ３０２を制御して選択されたバッテリーに対する充電を実行し、或いは、選択されたバッテリーからデジタルカメラ１０２への給電を実行する。
【００４９】
充電マイコン２３２はまた、内部バッテリー２０１及び外部バッテリー２０２のＴ端子からバッテリーの温度を検出する。充電マイコン２３２は、バッテリーの温度が所定値以上になったときは、バッテリーの劣化を防ぐため、充電中の場合は当該バッテリーの充電を停止する。
【００５０】
図３を参照しながら、バッテリーの選択を実行する電源切換回路３００の動作について説明する。図３に示す回路は、上述したＵＳＢ端子２１１、充電ＩＣ２３１、充電マイコン２３２、スイッチ３０２、内部バッテリー２０１、及び外部バッテリー２０２を含む。
【００５１】
充電マイコン２３２は、内部バッテリー２０１及び外部バッテリー２０２それぞれの、＋端子（バッテリー電圧）やＴ端子からの信号の有無に応じて、内部バッテリー２０１及び外部バッテリー２０２の装着を判定する。
【００５２】
充電マイコン２３２は、後述するバッテリー使用順序の設定に応じて、使用バッテリー（内部バッテリーか外部バッテリーか）を選択する信号を制御する。具体的には、充電マイコン２３２は、内部バッテリー２０１に接続されるＡＮＤスイッチ３０３と、外部バッテリー２０２に接続されるＡＮＤスイッチ３０４とを制御する。ＡＮＤスイッチ３０３は、バッテリー装着検出信号（ＤＥ）と使用バッテリー選択信号（Ｍ）の双方が入力された場合、ＯＮにされる。この結果、内部バッテリー２０１が充電され、内部バッテリー２０１からデジタルカメラ１０２への給電が可能になる。同様に、ＡＮＤスイッチ３０４は、バッテリー装着検出信号（ＤＥ）と使用バッテリー選択信号（Ｍ）の双方が入力された場合、ＯＮにされる。この結果、外部バッテリー２０２が充電され、内部バッテリー２０１からデジタルカメラ１０２への給電が可能になる。なお、この充給電は、充電ＩＣ２３１がスイッチ３０２を切換えることにより実行される。
【００５３】
［１−２−２．充電優先順位の設定・変更］
使用バッテリー選択信号（Ｍ）は、ユーザーが液晶モニター１６３に表示されるメニュー画面より使用バッテリーの選択・設定に応じて生成される。本実施の形態においては、この選択・設定によって、接続機器からの充電優先順位が設定される。以下、図４から図７を参照しながら、充電優先順位の設定の動作について説明する。
【００５４】
ユーザーが操作部１６０を操作することにより、カメラコントローラー１５３は、画像処理回路１７２を制御して、液晶モニター１６３にメニュー画面を表示させる。メニュー画面は、例えば、図５に示すように、画面５００にバッテリー使用順序を入力するための操作インタフェースが表示される（Ｓ１１１）。
【００５５】
画面５００は、アイコン表示領域５１０と、メニュー表示領域５３０と、画面繰出しボタン表示領域５２０とを含む。アイコン表示領域５１０には複数のアイコンが表示され、ここでは、バッテリーの設定を表すアイコン５１０ａが選択される。なお、画面５００上の操作インタフェースの選択は、液晶モニター１６３上に設けられたタッチパネルを介して行われてもよいし、操作部１６０の一つである十字キー１６０ａを使用して選択してもよい。
【００５６】
メニュー表示領域５３０には、バッテリーの設定に関するメニューバーが表示され、そのうちバッテリー使用順序設定バー５３１が選択されるものとする。バッテリー使用順序設定バー５３１が選択されると、図６に示すように、メニュー表示領域５３０には、バッテリーの選択バー５０２が表示される。ユーザーは図５と同様に選択バー５０２を選択する。バッテリーの使用順序としてバッテリーグリップ（外部バッテリー２０２）を十字キー１６０ａを使用して選択することは可能であるが、ここでは、例えば本体（内部バッテリー２０１）が選択されたものとする。この選択入力を、カメラコントローラー１５３が検知すると（Ｓ１１２のＹｅｓ）、当該設定された順序をメモリに記憶し、バッテリーの使用順序が設定され、この順序が充電優先順位として設定される（Ｓ１１３）。なお、バッテリーの使用順序を変更するときも、Ｓ１１１〜Ｓ１１３と同様の処理が行われる。
【００５７】
なお、バッテリー使用順序の設定動作においては、例えば、図６に示すバッテリー使用順序設定入力画面の前に、図７に示すように、内部バッテリー２０１と外部バッテリー２０２のバッテリー残量やバッテリーの劣化度を含むバッテリー情報を表示させてもよい。ユーザーはこのバッテリー情報を確認してから、これらの情報に応じてバッテリーの使用順序を設定することが可能となる。例えば、バッテリー残量が大きい方、又は劣化度の小さい方のバッテリーを優先的に使用するように設定できる。
【００５８】
［１−２−３．充電動作］
図８を参照しながら、図２及び図３の回路によって実行される充電動作について説明する。なお、充電を開始時には、ＵＳＢ  ＰＤに対応する接続機器の接続がＰＤコントローラー２１２により検知されているものとする。また、充電マイコン２３２は、内部バッテリー２０１及び外部バッテリー２０２について上述したバッテリー装着検出信号（ＤＥ）を検出し、双方のバッテリーが装着されているものとする。充電マイコン２３２は、内部バッテリー２０１又は外部バッテリー２０２について使用バッテリー選択信号（Ｍ）をカメラコントローラー１５３から受信する（Ｓ１３１）。内部バッテリー２０１が優先の場合（Ｓ１３２のＹｅｓ）、充電ＩＣ２３１により内部バッテリー２０１の充電を実行する（Ｓ１３３）。内部バッテリー２０１が満充電（バッテリー残量１００％）となると（Ｓ１３４のＹｅｓ）、内部バッテリー２０１の充電を停止し（Ｓ１３５）、外部バッテリー２０２の充電を実行する（Ｓ１３６）。外部バッテリー２０２が満充電となると（Ｓ１３７のＹｅｓ）、充電を停止して処理を終了する。
【００５９】
一方、外部バッテリー２０２が優先の場合（Ｓ１３２のＮｏ）、充電ＩＣ２３１により外部バッテリー２０２の充電を実行する（Ｓ１３８）。外部バッテリー２０２が満充電となると（Ｓ１３９のＹｅｓ）、外部バッテリー２０２の充電を停止し（Ｓ１４０）、内部バッテリー２０１の充電を実行する（Ｓ１４１）。内部バッテリー２０１が満充電となると（Ｓ１４２のＹｅｓ）、充電を停止して処理を終了する。
【００６０】
上記処理のステップＳ１３３〜Ｓ１３４，Ｓ１３６〜Ｓ１３７，Ｓ１３８〜Ｓ１３９，Ｓ１４１〜Ｓ１４２において、実行される充電は、満充電（１００％）でなくてもよい。満充電未満で充電を停止してもよい。
【００６１】
上記充電動作において、内部バッテリー２０１の充電中或いは外部バッテリー２０２の充電中にＵＳＢ  ＰＤが非接続となり、電力供給が停止された場合は、処理を終了する。
【００６２】
［１−３．効果］
本実施の形態に係るデジタルカメラ１０２は、外部バッテリー２０２を収容するバッテリーグリップ１０３を着脱可能であり、本体部１０２ａと、充電ＩＣ２３１と、操作部１６０と、充電マイコン２３２とを備える。本体部１０２ａは内部バッテリー２０１を収容する。充電ＩＣ２３１は、外部から入力した電力により内部バッテリー２０１又は外部バッテリー２０２を充電する。操作部１６０は、内部バッテリー２０１及び外部バッテリー２０２の使用順序を優先順位として設定する入力を受け付ける。充電マイコン２３２は、優先順位に応じて内部バッテリー２０１又は外部バッテリー２０２の充電を実行するように充電ＩＣ２３１を制御する。
【００６３】
デジタルカメラ１０２においては、ユーザーは、内部バッテリー２０１及び外部バッテリー２０２の使用順序を設定することにより、充電の優先順位を設定し、カメラシステム１００の使用状況に応じて変更できる。例えば、ユーザーは、バッテリーグリップ１０３を装着しないでデジタルカメラ１０２を使用する予定がある場合、内部バッテリー２０１を優先的に充電することにより、デジタルカメラ１０２の駆動電力を確保しておくことができる。また、外部バッテリー２０２を装着したバッテリーグリップ１０３は容易に交換できることから、ユーザーは、外部バッテリー２０２を優先的に使用し充電することにより、デジタルカメラ１０２の駆動電力を確保しておくことができる。また、バッテリーグリップ１０３は、通常デジタルカメラ１０２に装着された状態でしか充電できないため、デジタルカメラ１０２に装着されている時に優先的に充電しておく方がよい場合がある。よって、本実施の形態に係るデジタルカメラ１０２によれば、ユーザーによる撮像装置システムの使用状況に応じてバッテリーの充電を行うことが可能である。
【００６４】
［２．その他実施の形態］
以上のように、本出願において開示する技術の例示として、各実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００６５】
（１）図５〜図６に示す表示例においては、バッテリーの使用順序の設定メニューが表示されているが、バッテリーの充電優先順序の設定メニューとして表示されてもよい。
【００６６】
また、図５〜図７に示す表示例においては、内部バッテリー２０１及び外部バッテリー２０２のバッテリー残量を示す画面（図７）と、優先順位の設定の入力を受け付けるための画面（図５又は図６）とを切り替えて表示しているが、双方を同時に表示させる、つまり一つの画面として表示させてもよい。
【００６７】
（２）上記実施の形態においては、撮像装置としデジタルカメラを例にしていたが、撮像装置は、スマートフォンやその他の携帯端末等、撮像機能を有する機器であってもよい。
【００６８】
（３）上記実施の形態における処理方法の実行順序は、必ずしも、上記実施の形態の記載に制限されるものではなく、発明の要旨を逸脱しない範囲で、実行順序を入れ替えたり、複数の処理を同時に実行したりしてもよい。
【００６９】
（４）上記実施の形態におけるデジタルカメラ１０２のカメラコントローラー１５３や充電マイコン２３２により実行させるコンピュータプログラム及びそのプログラムを記録したコンピュータ読み取り可能な記録媒体は、本発明の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリを挙げることができる。
【００７０】
上記コンピュータプログラムは、上記記録媒体に記録されたものに限られず、電気通信回線、無線又は有線通信回線、インターネットを代表とするネットワーク等を経由して取得されるものであってもよい。
【００７１】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７２】
また、上述の実施の形態は、本開示における技術を例示するためのものであるから、特許請求の範囲又はその均等の範囲において種々の変更、置き換え、付加、省略などを行うことができる。
【産業上の利用可能性】
【００７３】
本開示は、デジタルカメラ、カメラ付き携帯電話機等、撮像機能を備える電子機器に適用可能である。
【符号の説明】
【００７４】
１００…カメラシステム，１０１…交換レンズ，１０２…デジタルカメラ，１０２ａ…本体部，１０３…バッテリーグリップ，１１０…フォーカスレンズ，１１１…フォーカスレンズ駆動部，１１２…ズームレンズ，１１３…ズームレンズ駆動部，１２０…レンズコントローラー，１２１／１５５…ＤＲＡＭ，１２２／１５６…フラッシュメモリ，１３０…レンズマウント，１４０…本体マウント，１５０…イメージセンサー，１５３…カメラコントローラー，１５４…ＤＣ／ＤＣコンバーター，１６０…操作部，１６０ａ…十字キー，１６１…ステータスＬＣＤ，１６２…ビューファインダー，１６３…液晶モニター，１６４…ＳＤカード，１６５…カードスロット，１６６…ＨＤＭＩ（登録商標）インタフェース，１７０…操作部，１７２…画像処理回路，２０１…内部バッテリー，２０２…外部バッテリー，２１０…ＵＳＢ制御回路，２１１…ＵＳＢ端子，２１１ａ…ＶＢＵＳ，２１１ｂ…ＣＣ端子，２１２…ＰＤコントローラー，２３０…充電制御回路，２３１…充電ＩＣ，２３２…充電マイコン，２５０…ＢＧ接続部，３００／３００ａ／３００ｂ…電源切換回路，３０２…スイッチ，３０３／３０４…ＡＮＤスイッチ，５００…画面，５０２…選択バー，５１０…アイコン表示領域，５１０ａ…アイコン，５２０…画面繰出しボタン表示領域，５３０…メニュー表示領域，５３１…バッテリー使用順序設定バー
【先行技術文献】
【特許文献】
【００７５】
【特許文献１】特開２００１−３１３８５８号公報
【特許文献２】特開２００３−０８５９５４号公報
【図１】
2020121603.tif 000003
【図２】
2020121603.tif 000004
【図３】
2020121603.tif 000005
【図４】
2020121603.tif 000006
【図５】
2020121603.tif 000007
【図６】
2020121603.tif 000008
【図７】
2020121603.tif 000009
【図８】
2020121603.tif 000010
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
外部バッテリーを収容する拡張装置を着脱可能な撮像装置であって、
内部バッテリーを収容する本体部と、
外部から入力した電力により前記内部バッテリー又は前記外部バッテリーを充電する充電部と、
前記内部バッテリー及び前記外部バッテリーを充電する優先順位を設定する入力を受け付ける操作部と、
前記優先順位に応じて前記内部バッテリー又は前記外部バッテリーの充電を実行するように前記充電部を制御する制御部と、
を備え、
前記優先順位は、前記内部バッテリー及び前記外部バッテリーを使用する使用順位と同じである、
撮像装置。
【請求項２】
前記優先順位を設定する入力を受け付けるための操作インタフェースを表示する表示部を備える、
請求項１に記載の撮像装置。
【請求項３】
前記表示部は、
前記内部バッテリー及び前記外部バッテリーのバッテリー残量を示す第１画面と、前記優先順位の設定の入力を受け付けるための第２画面とを切り替えて表示するか、又は前記第１画面と前記第２画面とを同時に表示する、
請求項２に記載の撮像装置。
【請求項４】
前記制御部は、
前記優先順位に基づいて充電中の前記内部バッテリー及び前記外部バッテリーの一方のバッテリー残量を監視し、
前記内部バッテリー及び前記外部バッテリーの一方が、満充電又は満充電未満の所定のバッテリー残量になったことを検知したとき、前記内部バッテリー及び前記外部バッテリーの一方の充電から他方の充電に切り替えるように前記充電部を制御する、
請求項１から３のいずれかに記載の撮像装置。
【国際調査報告】
2020121603.tif 000011
2020121603.tif 000012
2020121603.tif 000013